(57)【要約】【課題】各エリアへの空調空気の送風量を適切に調整して、各エリアの空調負荷を適切に賄うこと。【解決手段】全体用空調ファンを備えない少なくとも１つの空調機２と、その空調機２にて空調処理された空調空気Ａ１を複数のエリア１ａ，１ｂに供給可能な複数の分岐路３ａ，３ｂと、複数の分岐路３ａ，３ｂの夫々に備えられ、各エリア１ａ，１ｂへの空調空気Ａ１の供給量を調整自在なエリア毎のエリア用空調ファン４ａ，４ｂと、エリア毎のエリア用空調ファン４ａ，４ｂの夫々が対応するエリア１ａ，１ｂの状況、及び、複数のエリア１ａ，１ｂを含む全体エリアの目標風量に応じて、複数のエリア用空調ファン４ａ，４ｂの夫々を制御する風量制御を行う制御部１０とが備えられている。【選択図】図１
2019049387.tif 000002
【特許請求の範囲】
【請求項１】
全体用空調ファンを備えない少なくとも１つの空調機と、
１つの前記空調機にて空調処理された空調空気を複数のエリアに供給可能な複数の分岐路と、
複数の前記分岐路の夫々に備えられ、各エリアへの空調空気の供給量を調整自在なエリア毎のエリア用空調ファンと、
エリア毎の前記エリア用空調ファンの夫々が対応するエリアの状況、及び、複数のエリアを含む全体エリアの目標風量に応じて、複数の前記エリア用空調ファンの夫々を制御する風量制御を行う制御部とが備えられている空調システム。
【請求項２】
前記制御部は、前記風量制御として、エリア毎の前記エリア用空調ファンの夫々が対応するエリアの状況に応じて複数の前記エリア用空調ファンの夫々を制御する個別風量制御と、複数のエリアを含む全体エリアの目標風量に応じて前記個別風量制御における前記エリア用空調ファンの作動状態を補正する補正制御とを行うように構成されている請求項１に記載の空調システム。
【請求項３】
前記制御部は、前記個別風量制御において、エリア毎の前記エリア用空調ファンの夫々の回転速度を、対応するエリアの目標風量に応じた目標回転速度に制御し、
前記補正制御において、複数のエリアを含む全体エリアの目標風量が大きいほど前記個別風量制御における目標回転速度が大きくなるように、全体エリアの目標風量に応じて前記エリア用空調ファンの目標回転速度を補正するように構成されている請求項２に記載の空調システム。
【請求項４】
前記制御部は、全ての前記エリア用空調ファンの風量が閾値未満である場合に、前記空調機による目標給気温度を緩和側に変更可能に構成されている請求項１〜３のいずれか１項に記載の空調システム。
【発明の詳細な説明】
【技術分野】
【０００１】
本発明は、複数のエリアに空調空気を供給可能な空調システムに関する。
【背景技術】
【０００２】
上記のような空調システムでは、空調空気を生成する空調機と、空調機にて生成された空調空気を複数のエリアに供給可能な複数の分岐路とが備えられ、複数の分岐路の夫々にて複数のエリアの夫々に空調空気を供給して、各エリアを個別空調している（例えば、特許文献１参照。）。
【０００３】
特許文献１に記載のシステムでは、複数の分岐路の夫々に各エリアへの空調空気の供給量を調整自在なエリア用空調ファンが備えられており、各エリアに対して各エリア用空調ファンにより個別に空調空気を供給している。複数のエリア用空調ファンの制御としては、各エリアの温度が所望温度になるように、各エリア用空調ファンの回転速度を個別に制御している。
【先行技術文献】
【特許文献】
【０００４】
【特許文献１】実開昭５９−８０６２７号公報
【発明の概要】
【発明が解決しようとする課題】
【０００５】
特許文献１に記載のシステムでは、複数のエリア用空調ファンの制御として、各エリアの空調負荷を賄うように、各エリア用空調ファンを個別に制御している。しかしながら、空調機からの空調空気を複数の分岐路にて分けながら各エリアに空調空気を供給しているので、単に、各エリア用空調ファンを個別制御するだけでは、他のエリア用空調ファンの影響を受けてしまい、各エリアに対する空調空気の送風量を適切に調整できない場合がある。
【０００６】
この実情に鑑み、本発明の主たる課題は、各エリアへの空調空気の送風量を適切に調整して、各エリアの空調負荷を適切に賄うことができる空調システムを提供する点にある。
【課題を解決するための手段】
【０００７】
本発明の第１特徴構成は、全体用空調ファンを備えない少なくとも１つの空調機と、
１つの前記空調機にて空調処理された空調空気を複数のエリアに供給可能な複数の分岐路と、
複数の前記分岐路の夫々に備えられ、各エリアへの空調空気の供給量を調整自在なエリア毎のエリア用空調ファンと、
エリア毎の前記エリア用空調ファンの夫々が対応するエリアの状況、及び、複数のエリアを含む全体エリアの目標風量に応じて、複数の前記エリア用空調ファンの夫々を制御する風量制御を行う制御部とが備えられている点にある。
【０００８】
本構成によれば、空調機に全体用空調ファンを備えなくても、エリア用空調ファンにて各エリアへの空調空気の供給量を調整することで、複数のエリアの個別空調を行うことができる。また、エリア用空調ファンを制御することで、各エリアへの空調空気の供給量を調整することができるので、ＶＡＶ装置（可変風量装置）のように空調空気に対して抵抗を与えることもなく、それだけエネルギー消費量の低減を図ることができ、省エネ性の向上を図ることができる。
【０００９】
しかも、風量制御では、制御部が、エリア用空調ファンの夫々が対応するエリアの状況だけでなく、複数のエリアを含む全体エリアの目標風量に応じて、複数のエリア用空調ファンの夫々を制御するので、各エリアの空調負荷の状況だけでなく、全体エリアの目標風量を考慮しながら、各エリアへの空調空気の送風量を調整することができる。これにより、全体の風量バランスを良好に維持しながら、各エリアの空調負荷を賄うために、各エリアへの空調空気の送風量を適切に調整することができる。
【００１０】
本発明の第２特徴構成は、前記制御部は、前記風量制御として、エリア毎の前記エリア用空調ファンの夫々が対応するエリアの状況に応じて複数の前記エリア用空調ファンの夫々を制御する個別風量制御と、複数のエリアを含む全体エリアの目標風量に応じて前記個別風量制御における前記エリア用空調ファンの作動状態を補正する補正制御とを行うように構成されている点にある。
【００１１】
本構成によれば、制御部が個別風量制御を行うことで、各エリアへの空調空気の送風量が各エリアの状況に応じた送風量になるように、エリア用空調ファンを制御することができる。しかも、制御部は、個別風量制御だけでなく、補正制御を行うので、全体エリアの目標風量に応じて、エリア用空調ファンの作動状態を補正することができる。これにより、エリア用空調ファンが、他のエリア用空調ファンの影響を受けても、エリアへの空調空気の送風量がエリアの状況に応じた送風量になるように、エリア用空調ファンの作動状態を補正できるので、各エリアへの空調空気の送風量を適切に調整することができる。
【００１２】
本発明の第３特徴構成は、前記制御部は、前記個別風量制御において、エリア毎の前記エリア用空調ファンの夫々の回転速度を、対応するエリアの目標風量に応じた目標回転速度に制御し、
前記補正制御において、複数のエリアを含む全体エリアの目標風量が大きいほど前記個別風量制御における目標回転速度が大きくなるように、全体エリアの目標風量に応じて前記エリア用空調ファンの目標回転速度を補正するように構成されている点にある。
【００１３】
本構成によれば、制御部は、個別風量制御において、エリア用空調ファンの目標回転速度を制御しており、補正制御において、エリア用空調ファンの目標回転速度を補正している。このように、エリア用空調ファンの目標回転速度を制御するという比較的簡易な制御により、各エリアへの空調空気の送風量を適切に調整することができる。しかも、補正制御では、全体エリアの目標風量が大きくなり、他のエリア用空調ファンの影響を受け易い場合に、個別風量制御における目標回転速度が大きくなるように補正するので、他のエリア用空調ファンの影響を十分に考慮した適切な補正を行うことができる。
【００１４】
本発明の第４特徴構成は、前記制御部は、全ての前記エリア用空調ファンの風量が閾値未満である場合に、前記空調機による目標給気温度を緩和側に変更可能に構成されている点にある。
【００１５】
全てのエリア用空調ファンの風量が閾値未満である場合には、全てのエリア用空調ファンにおいて、各エリアへの空調空気の送風量を最小側に絞っている状態であり、エリア用空調ファンの制御可能な送風量よりも小さくなっている可能性がある。そこで、本構成によれば、このような場合には、制御部が、空調機による目標給気温度を緩和側に変更している。例えば、冷房している場合には、空調機からの目標給気温度を上昇側に変更させている。このとき、各エリアの空調負荷を賄うためには、目標給気温度の上昇側への変更に伴って、エリア用空調ファンによる送風量を増加させることになる。よって、各エリアへの空調空気の送風量を、エリア用空調ファンの制御可能な送風量に増加させることができ、エリア用空調ファンの制御により各エリアへの空調空気の送風量を適切に調整することができる。
【図面の簡単な説明】
【００１６】
【図１】第１実施形態における空調システムの概略構成を示す図
【図２】第２実施形態における空調システムの概略構成を示す図
【発明を実施するための形態】
【００１７】
本発明に係る空調システムの実施形態を図面に基づいて説明する。
〔第１実施形態〕
図１に示すように、空調対象空間１は、連通する複数のエリア１ａ、１ｂに分けられており、空調システムは、空調空気Ａ１を生成する空調機２と、空調機２から複数のエリア１ａ，１ｂに空調空気Ａ１を供給可能な複数の分岐路３ａ，３ｂと、エリア毎のエリア用空調ファン４ａ，４ｂと、複数のエリア用空調ファン４ａ，４ｂの夫々を制御する制御部１０とが備えられている。
【００１８】
この実施形態では、図１に示すように、空調対象空間１（１つの居室）が連通する状態で第１エリア１ａと第２エリア１ｂとに分けられている。よって、分岐路として、第１エリア１ａに対応する第１分岐路３ａと第２エリア１ｂに対応する第２分岐路３ｂとが備えられ、エリア用空調ファンとして、第１エリア１ａに対応する第１エリア用空調ファン４ａと第２エリア１ｂに対応する第２エリア用空調ファン４ｂとが備えられている。このように、エリアの数と分岐路の数とエリア用空調ファンの数とは同数となるようにしている。空調対象空間１のいくつのエリアに分けるかは適宜変更が可能であり、エリアの数に応じて、分岐路及びエリア用空調ファンの数も変更可能である。
【００１９】
空調機２は、例えば、空調対象空間１に隣接する空間等に配置されている。空調機２は、空調対象空間１からの還気Ａ２を空調処理部２１にて空調処理して、空調空気Ａ１を生成している。また、図示は省略するが、空調機２は、外気を取入可能に構成されており、取り入れた外気、又は、外気に還気Ａ２を混合させた混合気を、空調処理部２１にて空調処理可能に構成されている。
【００２０】
空調機２には、空調対象空間１からの還気Ａ２を空調機２に供給する還気路５が接続されている。還気路５は、空調対象空間１の床下空間６に開放されており、空調対象空間１からの還気Ａ２を、床下空間６を通して空調機２に供給するように構成されている。
【００２１】
空調機２は、全体用空調ファンが備えられておらず、供給される空気（還気Ａ２のみ、外気のみ、還気Ａ２と外気の混合気）を空調処理する空調処理部２１が備えられている。空調処理部２１は、図外の熱源機から循環供給される熱媒体（例えば、冷水）と供給される空気とを熱交換させて、供給される空気を冷却処理する冷水コイルにて構成されている。ちなみに、空調処理部２１は、供給される空気を冷却処理するだけでなく、熱源機から供給される熱媒体（例えば、温水）にて供給される空気を加熱処理する冷温水コイルとすることもでき、どのような構成とするかは適宜変更が可能である。
【００２２】
空調機２には、図示は省略するが、空調処理部２１の制御を行う空調機用制御部が備えられている。空調機用制御部は、空調処理部２１に対して供給される熱媒体の供給量を制御することで、空調処理部２１を制御している。空調機用制御部は、生成する空調空気Ａ１の温度が目標給気温度となるように、空調処理部２１を制御している。
【００２３】
目標給気温度について説明すると、空調対象空間１の目標空調状態として、空調対象空間１の全体における目標温度を使用者等が設定可能としている。そこで、使用者等により設定される目標温度と空調対象空間１の全体における温度との偏差、及び、予め設定されている偏差と目標給気温度との関係等を用いて、空調機用制御部が目標給気温度を求めるようにしている。偏差と目標給気温度との関係は、例えば、偏差の大きさに応じて、給気温度をどれぐらいにすべきかを示す関係であり、実験やその他各種の条件に基づいて予め設定されている。
【００２４】
空調対象空間１の全体における温度については、空調機用制御部が、空調対象空間１に配置された温度センサＴ１，Ｔ２の検出情報を取得することで、空調対象空間１の全体における温度情報を取得している。例えば、複数の温度センサＴ１，Ｔ２を備える場合には、各温度センサＴ１，Ｔ２の検出温度の平均値を求めることで、空調対象空間１の全体における温度情報（平均値）を取得することができる。また、冷房を行う場合には、複数の温度センサＴ１，Ｔ２の検出温度のうち、一番高い検出温度を、空調対象空間１の全体における温度情報として取得することもできる。
【００２５】
このように、空調対象空間１の全体における目標空調状態として、目標温度を設定可能としているが、複数のエリア１ａ，１ｂの夫々についても、目標空調状態として、エリア毎の目標温度を設定可能に構成されている。
【００２６】
ちなみに、空調対象空間１の全体及び各エリア１ａ，１ｂにおける目標空調状態として、温度のみの目標温度を設定可能としているが、温度と湿度の目標温湿度を設定することもできる。この場合には、空調機制御部が、目標温湿度と空調対象空間１の全体における温湿度との偏差を用いて、目標給気温度を求めることができる。
【００２７】
複数の分岐路３ａ，３ｂの夫々は、一端部が空調機２に接続されており、他端部が複数のエリア１ａ，１ｂの夫々に対応する吹出部７に接続されている。吹出部７は、空調対象空間１の天井部８において、複数のエリア１ａ，１ｂの夫々に対応する位置に配置されている。
【００２８】
エリア用空調ファン４ａ，４ｂは、複数の分岐路３ａ，３ｂの夫々に備えられ、各エリア１ａ，１ｂへの空調空気Ａ１の供給量を調整自在に構成されている。複数の分岐路３ａ，３ｂの夫々には、エリア用空調ファン４ａ，４ｂに加えて、分岐路３ａ，３ｂにおける空気の逆流を防止する逆流防止機構９ａ，９ｂが備えられている。逆流防止機構９ａ，９ｂは、チャッキダンパ等にて構成されており、複数の分岐路３ａ，３ｂの夫々において、エリア用空調ファン４ａ，４ｂの設置箇所よりも空調空気Ａ１の通流方向の下流側に配置されている。ちなみに、逆流防止機構９ａ，９ｂについては、複数の分岐路３ａ，３ｂの夫々において、エリア用空調ファン４ａ，４ｂの設置箇所よりも空調空気Ａ１の通流方向の上流側に配置することも可能である。
【００２９】
以下、制御部１０による複数のエリア用空調ファン４ａ，４ｂの制御について説明する。
各エリア用空調ファン４ａ，４ｂにおける運転スイッチが使用者等によりＯＮ／ＯＦＦ操作されることで、制御部１０が、エリア用空調ファン４ａ，４ｂを作動状態と作動停止状態とに切替可能に構成されている。また、例えば、制御部１０は、設定時間帯にエリア用空調ファン４ａ，４ｂを作動状態に切り替えるように、エリア用空調ファン４ａ，４ｂの作動状態と作動停止状態との切替を自動的に行うことも可能である。
【００３０】
制御部１０は、複数のエリア１ａ，１ｂの状況、及び、複数のエリア１ａ，１ｂを含む全体エリアである空調対象空間１の全体における目標風量に応じて、複数のエリア用空調ファン４ａ，４ｂの夫々を制御する風量制御を行うように構成されている。
【００３１】
制御部１０は、風量制御として、各エリア１ａ，１ｂの状況に応じて複数のエリア用空調ファン４ａ，４ｂの夫々を制御する個別風量制御と、空調対象空間１の全体における目標風量に応じて個別風量制御におけるエリア用空調ファン４ａ，４ｂの作動状態を補正する補正制御とを行うように構成されている。
【００３２】
制御部１０が、個別風量制御を行うことで、各エリア１ａ，１ｂの空調負荷を賄うために、各エリア１ａ，１ｂに供給される空調空気Ａ１の風量がエリア毎の目標風量となるように、エリア用空調ファン４ａ，４ｂを制御することができる。しかしながら、制御部１０が、個別風量制御を行うだけでは、他のエリア用空調ファン４ａ，４ｂの作動状態の影響を受けてしまい、各エリア１ａ，１ｂに供給される空調空気Ａ１の風量をエリア毎の目標風量に調整できない可能性がある。
【００３３】
そこで、制御部１０は、個別風量制御を行うだけでなく、補正制御を行うことで、各エリア１ａ，１ｂに供給される空調空気Ａ１の風量をエリア毎の目標風量に適切に調整できるようにしている。ちなみに、制御部１０は、複数のエリア用空調ファン４ａ，４ｂが作動状態である場合に、個別風量制御及び補正制御の両方を行い、１台のエリア用空調ファン４ａ，４ｂのみが作動状態である場合は、個別風量制御のみ行うことができる。
【００３４】
個別風量制御では、制御部１０が、エリア用空調ファン４ａ，４ｂの夫々の回転速度を、対応するエリア１ａ，１ｂの目標風量に応じた目標回転速度に制御している。制御部１０は、各エリア１ａ，１ｂに配置された温度センサＴ１，Ｔ２の検出温度とエリア毎の目標温度との偏差に基づいて、各エリア１ａ，１ｂにおける目標風量に応じた目標回転速度を求めており、その求めた目標回転速度になるようにエリア用空調ファン４ａ，４ｂの回転速度を制御している。目標回転速度を求めるに当たり、制御部１０は、温度センサＴ１，Ｔ２の検出温度とエリア毎の目標温度との偏差に基づいて、その偏差と目標回転速度との関係を用いて、目標回転速度を求めている。そして、温度センサＴ１，Ｔ２の検出温度とエリア毎の目標温度との偏差と目標回転速度との関係は、例えば、偏差の大きさに応じて、目標回転速度をどれぐらいにすべきかを示す関係であり、実験やその他各種の条件に基づいて予め設定されている。
【００３５】
補正制御では、制御部１０が、空調対象空間１の全体における目標風量が大きいほど個別風量制御における目標回転速度が大きくなるように、空調対象空間１の全体における目標風量に応じてエリア用空調ファン４ａ，４ｂの目標回転速度を補正している。制御部１０は、空調対象空間１の全体における目標風量に基づいて、予め設定された補正関係を用いて、エリア用空調ファン４ａ，４ｂの目標回転速度を補正している。空調対象空間１の全体における目標風量については、各エリア１ａ，１ｂにおける目標風量の合計値を用いることができる。また、空調対象空間１の全体における空調負荷を検出するための温度センサを設けて、その温度センサの検出温度と目標温度との偏差から空調対象空間１の全体における目標風量を求めることもできる。
【００３６】
〔表１〕に基づいて、制御部１０による個別風量制御と補正制御について説明を加える。
【００３７】
【表１】
2019049387.tif 000003
【００３８】
個別風量制御では、例えば、目標回転速度として、強用目標回転速度と中間用目標回転速度と弱用目標回転速度との３段階に調整可能としている。これにより、制御部１０は、各エリア１ａ，１ｂに配置された温度センサＴ１，Ｔ２の検出温度とエリア毎の目標温度との偏差が強用範囲、中間用範囲、及び、弱用範囲の何れの範囲となるかによって、目標回転速度を、強用目標回転速度と中間用目標回転速度と弱用目標回転速度との何れかに設定している。
【００３９】
制御部１０は、個別風量制御によってエリア用空調ファン４ａ，４ｂの目標回転速度が強用目標回転速度と中間用目標回転速度と弱用目標回転速度との何れかに設定された状態において、空調対象空間１の全体における目標風量の大きさに応じて、〔表１〕に示すような補正関係を用いて、設定された目標回転速度を３段階で補正可能としている。例えば、空調対象空間１の全体における目標風量が、０〜３０％と３０〜６０％と６０〜１００％との何れであるかによって、目標回転速度を３段階で補正している。
【００４０】
これにより、例えば、個別風量制御にて強用目標回転速度が設定され、空調対象空間１の全体における目標風量が０〜３０％である場合には、制御部１０が、強用目標回転速度における周波数を４０Ｈｚに補正して、エリア用空調ファン４ａ，４ｂの回転速度を制御している。また、個別風量制御にて中間用目標回転速度が設定され、空調対象空間１の全体における目標風量が０〜３０％である場合には、制御部１０が、中間用目標回転速度における周波数を３０Ｈｚに補正して、エリア用空調ファン４ａ，４ｂの回転速度を制御している。更に、個別風量制御にて弱用目標回転速度が設定され、空調対象空間１の全体における目標風量が０〜３０％である場合には、制御部１０が、弱用目標回転速度における周波数を２０Ｈｚに補正して、エリア用空調ファン４ａ，４ｂの回転速度を制御している。
【００４１】
このようにして、個別風量制御では、各エリア１ａ，１ｂの空調負荷に応じて、エリア用空調ファン４ａ，４ｂの目標回転速度を設定することができ、各エリア１ａ，１ｂの空調負荷を賄うようにエリア用空調ファン４ａ，４ｂを制御することができる。しかも、補正制御を行うことで、空調対象空間１の全体における風量バランスを良好に維持しながら、各エリア１ａ，１ｂの空調負荷を賄うために、各エリア１ａ，１ｂへの空調空気Ａ１の送風量を適切に調整することができる。
【００４２】
ここで、例えば、複数の分岐路３ａ，３ｂの夫々に風速計を設けることで、各分岐路３ａ，３ｂにおける空調空気Ａ１の供給量を風速計にて検出することができる。よって、制御部１０は、風速計にて検出する風量がエリア毎の目標風量となるように、各エリア用空調ファン４ａ，４ｂを制御する風速制御を行うことができる。この風速制御を行うことで、各エリア１ａ，１ｂに供給される空調空気Ａ１の風量を目標風量に調整することができる。そこで、制御部１０は、上述の補正制御に代えて、風速計による風速制御を行うことも可能であり、補正制御を行う状態と風速計による風速制御を行う状態とに切替可能に構成することもできる。
【００４３】
制御部１０は、全てのエリア用空調ファン４ａ，４ｂの風量が閾値未満である場合に、空調機２による目標給気温度を緩和側に変更可能に構成されている。全てのエリア用空調ファン４ａ，４ｂの風量が閾値未満である場合には、全てのエリア用空調ファン４，４ｂにおいて、各エリア１ａ，１ｂへの空調空気Ａ１の送風量を最小側に絞っている状態であり、エリア用空調ファン４ａ，４ｂの制御可能な送風量よりも小さくなっている可能性がある。
【００４４】
そこで、全てのエリア用空調ファン４ａ，４ｂの風量が閾値未満である場合には、制御部１０が、空調機２による目標給気温度を緩和側に変更している。全てのエリア用空調ファン４ａ，４ｂの風量については、全てのエリア用空調ファン４ａ，４ｂの回転速度から求めることができる。また、上述の如く、複数の分岐路３ａ，３ｂの夫々に風速計を設ける場合には、風速計にて各エリア用空調ファン４ａ，４ｂの風量を測定できるので、その測定した風量の合計値を、全てのエリア用空調ファン４ａ，４ｂの風量とすることができる。
【００４５】
例えば、冷房を行っている場合には、目標給気温度の緩和側への変更により、例えば、１８℃から２０℃に変更するべく、空調機２からの目標給気温度を上昇側に変更することになる。よって、各エリア１ａ，１ｂの空調負荷を賄うためには、エリア用空調ファン４ａ，４ｂによる送風量を増加させることになる。その結果、各エリア１ａ，１ｂへの空調空気Ａ１の送風量を、エリア用空調ファン４ａ，４ｂの制御可能な送風量に増加させることができ、エリア用空調ファン４ａ，４ｂの制御により各エリア１ａ，１ｂへの空調空気Ａ１の送風量を適切に調整することができる。
【００４６】
〔第２実施形態〕
上記第１実施形態では、図１に示すように、空調機２が、空調対象空間１に隣接する空間等に配置されているが、この第２実施形態は、空調機２の配置箇所の別実施形態を示している。その他の構成については、上記第１実施形態と同様であるので、同符号を記す等により説明は省略する。
【００４７】
この第２実施形態では、図２に示すように、空調機２が空調対象空間１の床下空間６に配置されている。空調機２は、床下空間６の空気Ａ３を導入して、空調処理部２１にて空調処理することで、空調空気Ａ１を生成するように構成されている。
【００４８】
複数の分岐路３ａ，３ｂの夫々は、一端部が空調機２に接続されており、他端部が空調対象空間１内に配置された吹出部７に接続されている。吹出部７は、空調対象空間１内に配置される机１１に対応する位置に配置されている。
【００４９】
上記第１実施形態と同様に、複数の分岐路３ａ，３ｂの夫々には、空調空気Ａ１の流通方向の上流側から順に、エリア用空調ファン４ａ，４ｂ、逆流防止機構９ａ，９ｂが備えられている。
【００５０】
このようにして、複数のエリア１ａ，１ｂは、机１１の上部等、各机１１に対応する領域となっている。図示は省略するが、各机１１には、各エリア１ａ，１ｂにおけるエリア毎の目標温度を設定するための温度設定部やエリア毎の温度を検出するための温度センサ等が備えられている。
【００５１】
この第２実施形態でも、上記第１実施形態と同様に、制御部１０は、個別風量制御と補正制御の両方を行っており、空調対象空間１の全体の風量バランスを良好に維持しながら、各エリア１ａ，１ｂの空調負荷を賄うために、各エリア１ａ，１ｂへの空調空気Ａ１の送風量を適切に調整することができる。
【００５２】
〔別実施形態〕
本発明の他の実施形態について説明する。尚、以下に説明する各実施形態の構成は、それぞれ単独で適用することに限らず、他の実施形態の構成と組み合わせて適用することも可能である。
【００５３】
（１）上記実施形態では、空調対象空間１を、連通する複数のエリア１ａ，１ｂに分けているが、例えば、空調対象空間１を、区画体等により複数のエリアを区画する状態で備えることもできる。
【００５４】
（２）上記実施形態では、制御部１０が、個別風量制御及び補正制御において、エリア用空調ファン４ａ，４ｂの目標回転速度を制御しているが、個別風量制御及び補正制御において制御するのは、エリア用空調ファン４ａ，４ｂの作動状態であればよく、目標回転速度に限るものではない。
【００５５】
（３）上記実施形態では、空調機２を１台備えた例を示したが、例えば、空調機２を複数台備えて、複数の空調対象空間を空調することも可能であり、空調機２の台数については適宜変更が可能である。
【００５６】
（４）上記実施形態では、空調機２の外部にエリア用空調ファン４ａ，４ｂを備えた例を示しているが、例えば、空調機２の内部にエリア用空調ファン４ａ，４ｂを内蔵することもでき、空調機２に対してエリア用空調ファン４ａ、４ｂをどのように備えるかは適宜変更が可能である。空調機２にエリア用空調ファン４ａ，４ｂを内蔵する場合には、分岐路３ａ，３ｂの一部も空調機２に内蔵されることになる。
【符号の説明】
【００５７】
１          空調対象空間
１ａ        第１エリア
１ｂ        第２エリア
２          空調機
３ａ        第１分岐路
３ｂ        第２分岐路
４ａ        第１エリア用空調ファン
４ｂ        第２エリア用空調ファン
１０        制御部
【図１】
2019049387.tif 000004
【図２】
2019049387.tif 000005